(57)【要約】      （修正有）【課題】エンドキャップの底部の外面に自分が希望する表示を施すことができるテニスラケットを提供する。【解決手段】テニスラケットのエンドキャップ５０として、底部に蓋取付孔１３が形成された筒状主体６０と、筒状主体の蓋取付孔に着脱可能に取り付けられた蓋部材２０と、蓋部材の外面に交換可能に取り付けられ、外面に外部から視認可能な表示が設けられた表示体３０とを有するものを用いる。【選択図】図１
0003129938.tif 000002
【実用新案登録請求の範囲】
【請求項１】
グリップエンドに有底筒状のエンドキャップが取り付けられたテニスラケットにおいて、
前記エンドキャップは、
底部に蓋取付孔が形成され、内部にグリップエンドが挿入された筒状主体と、
前記筒状主体の蓋取付孔に交換可能に取り付けられ、外面に外部から視認可能な表示が設けられた蓋部材とを有することを特徴とするテニスラケット。
【請求項２】
グリップエンドに有底筒状のエンドキャップが取り付けられたテニスラケットにおいて、
前記エンドキャップは、
底部に蓋取付孔が形成され、内部にグリップエンドが挿入された筒状主体と、
前記筒状主体の蓋取付孔に着脱可能に取り付けられた蓋部材と、
前記蓋部材の外面に交換可能に取り付けられ、外面に外部から視認可能な表示が設けられた表示体とを有することを特徴とするテニスラケット。
【請求項３】
前記表示は、テニスラケットの所有者が希望する任意の表示である請求項１または２に記載のテニスラケット。
【請求項４】
前記蓋部材の外面に、透明な保護カバーが取り付けられている請求項１または３に記載のテニスラケット。
【請求項５】
前記表示体の外面に、透明な保護カバーが取り外し可能に取り付けられている請求項２または３に記載のテニスラケット。
【請求項６】
前記筒状主体の蓋取付孔に、棒状物を挿入して前記蓋部材をこじ開けるようにして取り外すのに用いる蓋取り外し用切欠きが設けられている請求項１〜５のいずれか１項に記載のテニスラケット。
【請求項７】
前記筒状主体の外周面に、その外周面に巻回されるテープの滑り止めを行うための多数の突起が形成されている請求項１〜６のいずれか１項に記載のテニスラケット。
【考案の詳細な説明】
【技術分野】
【０００１】
本考案は、硬式テニスや軟式テニスに用いられるテニスラケットに関する。
【背景技術】
【０００２】
テニスラケットとして、従来、図４に示すものが使用されている。図４に示すテニスラケット１において、フレーム本体２は、ヘッド部３、スロート部４、シャフト部５、グリップ部６およびヨーク部７を有している。そして、使用者が手のひらで把持するグリップ部６のグリップエンド６ａには、有底筒状のエンドキャップ８が取り付けられている。また、エンドキャップ８の外周面を含むグリップ部６の外周面には、滑り止め用のテープ９が巻回されている。なお、ヘッド部３とヨーク部７とにより囲われたほぼ楕円状の部分には、ストリング（ガット）１０を所望の張力で縦横に網の目のように張ることができるようになっている。
【考案の開示】
【考案が解決しようとする課題】
【０００３】
図４に示したテニスラケット１において、エンドキャップ８の底部１１の外面１１ａには、ラケットメーカーのロゴなどが表示されているのが一般的である。
【０００４】
したがって、テニスプレーヤーは、エンドキャップ８の底部１１の外面１１ａに自分が希望する表示、例えば自分の好みに合わせたマーク、図形、パターン、文字、記号、画像などを施すことができなかった。
【０００５】
本考案は、上記の点に鑑みてなされたものであり、エンドキャップの底部の外面に自分が希望する表示を施すことができるテニスラケットを提供することを目的とする。
【課題を解決するための手段】
【０００６】
前述した目的を達成するため、本考案は、下記第１考案および第２考案を提供する。
【０００７】
（第１考案）
グリップエンドに有底筒状のエンドキャップが取り付けられたテニスラケットにおいて、
前記エンドキャップは、
底部に蓋取付孔が形成され、内部にグリップエンドが挿入された筒状主体と、
前記筒状主体の蓋取付孔に交換可能に取り付けられ、外面に外部から視認可能な表示が設けられた蓋部材とを有することを特徴とするテニスラケット。
【０００８】
（第２考案）
グリップエンドに有底筒状のエンドキャップが取り付けられたテニスラケットにおいて、
前記エンドキャップは、
底部に蓋取付孔が形成され、内部にグリップエンドが挿入された筒状主体と、
前記筒状主体の蓋取付孔に着脱可能に取り付けられた蓋部材と、
前記蓋部材の外面に交換可能に取り付けられ、外面に外部から視認可能な表示が設けられた表示体とを有することを特徴とするテニスラケット。
【０００９】
第１考案によれば、エンドキャップを前述した筒状主体および蓋部材を用いて構成し、蓋部材を交換可能としたので、筒状主体に取り付けられている蓋部材を、外面に自分（テニスラケットの所有者）が希望する表示が施された他の蓋部材と交換することにより、エンドキャップの底部の外面にテニスラケットの所有者が希望する任意の表示が施されたテニスラケットを得ることができる。
【００１０】
第２考案によれば、エンドキャップを前述した筒状主体、蓋部材および表示体を用いて構成し、蓋部材を着脱可能、表示体を交換可能としたので、筒状主体から蓋部材および表示体を取り外し、蓋部材に取り付けられている表示体を、外面に自分（テニスラケットの所有者）が希望する表示が施された他の表示体と交換して、この他の表示体を蓋部材に取り付けた後、筒状主体に蓋部材および表示体を取り付けることにより、エンドキャップの底部の外面にテニスラケットの所有者が希望する任意の表示が施されたテニスラケットを得ることができる。
【００１１】
第１考案においては、蓋部材の外面に、透明な保護カバーを取り付けることができる。また、第２考案においては、表示体の外面に、透明な保護カバーを取り外し可能に取り付けることができる。このようにすると、エンドキャップの底部の外面に施された表示の視認性を損なうことなく、表示の損傷や破損を確実かつ容易に防止することができる。
【００１２】
第１考案および第２考案においては、筒状主体の蓋取付孔に、棒状物を挿入して蓋部材をこじ開けるようにして取り外すのに用いる蓋取り外し用切欠きを設けることができる。このようにすると、筒状主体に取り付けられている蓋部材を容易に取り外すことができる。
【００１３】
第１考案および第２考案においては、筒状主体の外周面に、その外周面に巻回されるテープの滑り止めを行うための多数の突起を形成することができる。このようにすると、テープが動くことを容易に防止することができる。
【考案の効果】
【００１４】
本考案に係るテニスラケットによれば、エンドキャップの底部の外面に自分が希望する表示を施すことができる。
【考案を実施するための最良の形態】
【００１５】
以下、本考案を図面に示す実施形態により説明する。図１から図３は第２考案に係るテニスラケットの一実施形態を示すものであり、図１は本実施形態のテニスラケットにおけるグリップエンド近傍の要部の構成をテープを除いて示す拡大部分断面図、図２は図１のＡ−Ａ線に沿った断面図、図３は図１の下面図である。なお、本実施形態のテニスラケットの全体構成は、図４に示したテニスラケットと同様である。
【００１６】
本実施形態のテニスラケットに用いるエンドキャップ５０は、筒状主体６０と、蓋部材２０と、表示体３０と、保護カバー４０とから構成されている。
【００１７】
前記筒状主体８は、断面８角形の筒状に形成されており、その内孔６０ａにグリップエンド６ａが挿入されている。また、筒状部材６０の外周面６０ｂは、底面６０ｃに向かって厚さが漸増するテーパ状に形成されている。そして、筒状部材６０の外周面６０ｂには、テープ９の滑り止めを行うための多数の突起１２が形成されている。なお、突起１２の数、形状、高さおよび配置などは、設計コンセプトなどの必要に応じて設定すればよい。
【００１８】
前記筒状部材６０の断面形状としては、８角形に限定されるものではなく、グリップエンド６ａの断面形状や設計コンセプトなどの必要に応じて各種の形状から選択することができる。
【００１９】
前記筒状部材６０の底面６０ｃは、平坦面とされており、底面６０ｃの中央部には、筒状部材６０の底部を貫通する蓋取付孔１３が形成されている。この蓋取付孔１３は、筒状部材６０の底面側に配置され、筒状部材６０の内孔６０ａとほぼ相似形をなす８角形に形成されている小径孔１３ａと、筒状部材６０の底面６０ｃとは反対の外面側に配置され、筒状部材６０の内孔６０ａとほぼ相似形をなす８角形に形成されている大径孔１３ｂとが段部１３ｃによって接続された段付き孔とされている。
【００２０】
なお、蓋取付孔１３の形状としては、設計コンセプトなどの必要に応じて、円形、楕円形、３角形、４角形、６角形などの８角形以外の各種の形状から選択することができるし、さらに、小径孔１３ａと大径孔１３ｂとの形状を異なるものとしてもよい。
【００２１】
前記蓋取付孔１３には、後述する蓋部材２０をこじ開けるようにして取り外すのに用いる蓋取り外し用切欠き１４が設けられている。この蓋取り外し用切欠き１４は、蓋取付孔１３の軸方向に沿って延在されており、一端が筒状部材６０の底面６０ｃに接続され、他端が筒状部材６０の底面６０ｃとは反対の外面６０ｄに接続されている。
【００２２】
前記筒状部材６０の底面６０ｃには、グリップエンド６ａの端面が当接される複数（本実施形態においては４つ）のストッパ１５がそれぞれの底面６０ｃからの高さを同一として突設されている。なお、ストッパ１５としては、蓋取付孔１３を取り囲むように形成された筒状のものでもよい。
【００２３】
前記筒状部材６０は、熱可塑性や熱硬化性の各種の樹脂や、ゴムに代表されるゴム様弾性体などの高分子材料を射出成形、圧縮成型などすることにより形成されている。本実施形態においてはポリアミドが用いられている。
【００２４】
前記蓋取付孔１３には、蓋部材２０が取り付けられている。この蓋部材２０は、筒状部材６０の底面６０ｃとは反対の外面側から取り外し可能に取り付けられている。すなわち、蓋部材２０は、蓋取り外し用切欠き１４に千枚通しのような細長い棒状物を差し込んでこじることにより、筒状部材６０から取り外すことができるようになっている。
【００２５】
本実施形態の蓋部材２０は、蓋取付孔１３の大径孔１３ｂとほぼ相似形をなす８角形に形成された大径孔１３ｂより小径の平板状の基板部２１を有し、この基板部２１が上記大径孔１３ｂに装着されるようになっている。上記基板部２１の筒状部材６０の底面側に位置する内面には、蓋取付孔１３の小径孔１３ａとほぼ相似形をなす８角形に形成された小径孔１３ａより小径の環状筒部２２が突設され、この環状筒部２２が上記小径孔１３ａに挿入されるようになっている。上記環状筒部２２の長さ（高さ）寸法は、小径孔１３ａの軸方向の長さより若干、例えば０．５ｍｍ程度長く形成されている。
【００２６】
前記環状筒部２２の端縁には、外周側に向かって延出された環状の係止用フランジ部２３が形成されている。この係止用フランジ部２３の外径寸法は、蓋取付孔１３の小径孔１３ａより若干大きく、例えば軸心からのサイズが０．５ｍｍ程度大きく形成されている。そして、蓋部材２０は、係止用フランジ部２３を筒状部材６０の蓋取付孔１３の小径孔１３ａに対向させて人力などによって押し込むことにより、係止用フランジ部２３を小径孔１３ａを通過させて筒状部材６０の底面６０ｃと対向させることができるようになっている。
【００２７】
したがって、筒状部材６０に蓋部材２０を取り付けた状態においては、基板部２１の内面のうちの環状筒部２２より外周側に位置する部分が蓋取付孔１３の段部１３ｃと対向し、係止用フランジ部２３の基板部２１と対向する面が筒状部材６０の底面６０ｃと対向するようになっている。
【００２８】
なお、係止用フランジ部２３としては、環状筒部２２の端縁を取り囲むように不連続状態に分割形成されたものであってもよい。
【００２９】
前記蓋部材２０は、筒状部材６０と同様に、熱可塑性や熱硬化性の各種の樹脂や、ゴムに代表されるゴム様弾性体などの高分子材料を射出成形、圧縮成型などすることにより製作することができる。本実施形態においては柔軟性のあるエラストマーが用いられている。
【００３０】
前記蓋部材２０の外面２０ａには、表示体３０が配設されている。本実施形態の表示体３０は、金属、樹脂、紙などにより形成された８角形の薄板３１により形成されており、この薄板３１の蓋部材側とは反対側の外面３１ａには、マーク、図形、パターン、文字、記号、画像などを単独もしくは組み合わせた表示３２が施されている。また、表示体３０は、両面テープなどの粘着部材３３を介して蓋部材２０の外面２０に取り外し可能に取り付けられている。勿論、蓋部材２０の外面２０ａに表示体３０を接着剤などにより固着してもよい。
【００３１】
本実施形態の表示体３０は、厚さが０．５ｍｍ程度のアルミニウム板からなる薄板３１の外面３１ａに「Ａ」の黒色表示（周囲はアルミニウムの金属色）が形成されて構成されている（図３）。
【００３２】
前記表示体３０の外面には、透明な保護カバー４０が設けられている。この保護カバー４０は、透明な接着剤、粘着剤、あるいは透明な両面テープなどにより表示体３０の外面に取り外し可能に貼着されている。
【００３３】
前記保護カバー４０は、熱可塑性や熱硬化性の各種の樹脂を射出成形、圧縮成型などすることにより製作することができる。本実施形態においてはポリウレタンが用いられている。
【００３４】
なお、保護カバー４０の透明性としては、表示３２の視認性を損なわない程度であれば半透明であってもよいし、色が付いていてもよい。
【００３５】
また、本実施形態においては、蓋部材２０の基板部２１の内面と保護カバー４０の外面との間隔が、筒状部材６０の蓋取付孔１３の大径孔１３ｂの長さ（深さ）とほぼ同等となるように設定されている。勿論、保護カバー４０の外面が筒状部材６０の蓋取付孔１３の大径孔１３ｂの開口端より突出するように形成されていてもよいし、凹むように形成されていてもよい。
【００３６】
つぎに、前述した構成からなる本実施形態の作用について説明する。本実施形態のテニスラケットによれば、筒状部材６０の底面６０ｃに内外を連通するように形成されている蓋取付孔１３と、蓋取付孔１３に、筒状部材６０の底面６０ｃとは反対の外面側から取り外し可能に取り付けられている蓋部材２０と、蓋部材２０の外面に交換可能に取り付けられた表示体３０と、表示体３０の外面に着脱可能に取り付けられた保護カバー４０とを有しているから、筒状部材６０から蓋部材２０、表示体３０および保護カバー４０からなる構造体を取り外すことができる。
【００３７】
したがって、上記取り外した構造体の表示体３０から蓋部材２０および保護カバー４０を取り外し、表示体３０を、外面に自分が希望する表示、例えば自分の好みに合わせたマーク、図形、パターン、文字、記号、画像などが施された他の表示体と交換し、この他の表示体に蓋部材２０および保護カバー４０を取り付けた後、蓋部材２０、他の表示体および保護カバー４０からなる構造体を筒状部材６０に取り付けることにより、エンドキャップ５０の底部の外面に自分が希望する表示を施すことができる。この場合、表示体３０を同じ重量の他の表示体と交換すれば、テニスラケットの重量は変化しない。
【００３８】
また、本実施形態のテニスラケットによれば、筒状部材６０の蓋取付孔１３に、棒状物を挿入して蓋部材２０をこじ開けるようにして取り外すのに用いる蓋取り外し用切欠き１４が設けられているから、蓋取り外し用切欠き１４に千枚通しのような細長い道具を差し込んでこじるという簡単な操作により、筒状部材６０に取り付けられている蓋部材２０、表示体３０および保護カバー４０からなる構造体を容易に取り外すことができる。すなわち、上記構造体の取り外し性の向上を容易に図ることができる。
【００３９】
また、本実施形態のテニスラケットによれば、筒状部材６０の外周面６０ｂに、その外周面６０ｂに巻回されるテープ９の滑り止めを行うための多数の突起１２が形成されているから、グリップ部６にテープ９を巻回する巻回時におけるテープ９の移動を容易に防止することができる。すなわち、グリップ部６にテープ９を巻回する際にテープ９が滑らないので、グリップ部６にテープ９安定して、かつ効率よく巻き付けることができる。勿論、使用時におけるテープ９のずれを防止することもできる。
【００４０】
また、本実施形態のテニスラケット１によれば、表示体３０の外面に、透明な保護カバー４０がさらに設けられているから、表示３２の視認性を損なうことなく、表示３２の損傷や破損を確実かつ容易に防止することができる。
【００４１】
なお、本考案は、前述した実施形態に限定されるものではなく、必要に応じて種々の変更が可能である。例えば、前述した実施形態では第２考案のテニスラケットを構成したが、エンドキャップを筒状主体および蓋部材、あるいは筒状主体、蓋部材および保護カバーを用いて構成し、蓋部材を交換可能とすることにより、第１考案のテニスラケットを構成してもよい。
【図面の簡単な説明】
【００４２】
【図１】本考案の一実施形態に係るテニスラケットのグリップエンド近傍の要部の構成をテープを除いて示す拡大部分断面図
【図２】図１のＡ−Ａ線に沿った断面図
【図３】図１の下面図
【図４】従来のテニスラケットの一例の全体構成の要部を示す正面図
【符号の説明】
【００４３】
１  テニスラケット
６  グリップ部
６ａ  グリップエンド
５０  エンドキャップ
６０  筒状部材
６０ａ  内孔
６０ｂ  外周面
６０ｃ  底面
６０ｄ  外面
９  テープ
１２  突起
１３  蓋取付孔
１３ａ  小径孔
１３ｂ  大径孔
１３ｃ  段部
２０  蓋部材
２０ａ  外面
３０  表示体
３２  表示
３３  粘着部材
４０  保護カバー
【図１】
0003129938.tif 000003
【図２】
0003129938.tif 000004
【図３】
0003129938.tif 000005
【図４】
0003129938.tif 000006